(57)【特許請求の範囲】
【請求項１】
設備の設置を伴う工事の形態に関する工事形態情報とともに、工事によって設置される設備に関する設備情報を、設備データベースに登録する方法であって、
工事形態毎にその画像を視認可能に提示するとともに当該工事形態の画像に対応する識別情報を所定の読取部で読み取り可能に提示する第１の媒体と、設備毎にその画像を視認可能に提示するとともに当該設備の画像に対応する識別情報を所定の読取部で読み取り可能に提示する第２の媒体と、設備データベースと、工事の工程情報を工事形態毎に登録した工事工程データベースと、必要な設備の項目情報を工事形態毎に登録した工事設備データベースと、前記各データベースに接続されたサーバと、前記所定の読取部、入力部及び表示部を少なくとも備え、前記サーバと通信可能な端末装置とを用い、
前記端末装置が、作業者により前記第１の媒体から選択され、前記所定の読取部から読み取られて入力された一の工事形態の画像に対応する識別情報又は変換後の工事形態情報を前記サーバへ送信する工程と、
前記サーバが、前記端末装置から前記一の工事形態に対応する識別情報又はその工事形態情報を受信し、前記設備データベースに登録する工程と、
前記サーバが、受信した前記一の工事形態に対応する識別情報又はその工事形態情報で前記工事工程データベース及び前記工事設備データベースを検索し、前記一の工事形態に対応する工程情報及び必要な設備の項目情報を前記端末装置へ送信する工程と、
前記端末装置が、前記サーバから前記工程情報及び必要な設備の項目情報を受信し、当該工程情報に従う設備の項目情報を前記表示部に表示する工程と、
前記端末装置が、前記表示部に表示された前記工程情報に従う設備の項目情報に対応させて、作業者により前記入力部から入力された一の設備に対応する設備情報、もしくは作業者により前記所定の読取部から読み取られて入力された一の設備に付随する識別情報又は変換後の対応する設備情報、あるいは作業者により前記第２の媒体から選択され、前記所定の読取部から読み取られて入力された一の設備の画像に対応する識別情報又は変換後の対応する設備情報を前記サーバへ送信する工程と、
前記サーバが、前記端末装置から前記一の設備に対応する識別情報又はその設備情報を受信し、前記設備データベースに登録する工程とからなる
ことを特徴とする設備情報の登録方法。
【請求項２】
設備の設置を伴う工事の形態に関する工事形態情報とともに、工事によって設置される設備に関する設備情報を、設備データベースに登録させるプログラムであって、
工事形態毎にその画像を視認可能に提示するとともに当該工事形態の画像に対応する識別情報を所定の読取部で読み取り可能に提示する第１の媒体と、設備毎にその画像を視認可能に提示するとともに当該設備の画像に対応する識別情報を所定の読取部で読み取り可能に提示する第２の媒体と、設備データベースと、工事の工程情報を工事形態毎に登録した工事工程データベースと、必要な設備の項目情報を工事形態毎に登録した工事設備データベースと、前記各データベースに接続されたサーバと、前記所定の読取部、入力部及び表示部を少なくとも備え、前記サーバと通信可能な端末装置とを用い、
前記端末装置に、
作業者により前記第１の媒体から選択され、前記所定の読取部から読み取られて入力された一の工事形態の画像に対応する識別情報又は変換後の工事形態情報を前記サーバへ送信する工程と、
前記サーバから工程情報及び必要な設備の項目情報を受信し、当該工程情報に従う設備の項目情報を前記表示部に表示する工程と、
前記表示部に表示された前記工程情報に従う設備の項目情報に対応させて、作業者により前記入力部から入力された一の設備に対応する設備情報、もしくは作業者により前記所定の読取部から読み取られて入力された一の設備に付随する識別情報又は変換後の対応する設備情報、あるいは作業者により前記第２の媒体から選択され、前記所定の読取部から読み取られて入力された一の設備の画像に対応する識別情報又は変換後の対応する設備情報を前記サーバへ送信する工程とを実行させ、
前記サーバに、
前記端末装置から前記一の工事形態に対応する識別情報又はその工事形態情報を受信し、前記設備データベースに登録する工程と、
受信した前記一の工事形態に対応する識別情報又はその工事形態情報で前記工事工程データベース及び前記工事設備データベースを検索し、前記一の工事形態に対応する工程情報及び必要な設備の項目情報を前記端末装置へ送信する工程と、
前記端末装置から前記一の設備に対応する識別情報又はその設備情報を受信し、前記設備データベースに登録する工程とを実行させる
ことを特徴とする設備情報の登録プログラム。
【請求項３】
設備の設置を伴う工事の形態に関する工事形態情報とともに、工事によって設置される設備に関する設備情報を、設備データベースに登録するシステムであって、
工事形態毎にその画像を視認可能に提示するとともに当該工事形態の画像に対応する識別情報を所定の読取部で読み取り可能に提示する第１の媒体と、設備毎にその画像を視認可能に提示するとともに当該設備の画像に対応する識別情報を所定の読取部で読み取り可能に提示する第２の媒体と、設備データベースと、工事の工程情報を工事形態毎に登録した工事工程データベースと、必要な設備の項目情報を工事形態毎に登録した工事設備データベースと、前記各データベースに接続されたサーバと、前記所定の読取部、入力部及び表示部を少なくとも備え、前記サーバと通信可能な端末装置とからなり、
前記端末装置は、
作業者により前記第１の媒体から選択され、前記所定の読取部から読み取られて入力された一の工事形態の画像に対応する識別情報又は変換後の工事形態情報を前記サーバへ送信する手段と、
前記サーバから工程情報及び必要な設備の項目情報を受信し、当該工程情報に従う設備の項目情報を前記表示部に表示する手段と、
前記表示部に表示された前記工程情報に従う設備の項目情報に対応させて、作業者により前記入力部から入力された一の設備に対応する設備情報、もしくは作業者により前記所定の読取部から読み取られて入力された一の設備に付随する識別情報又は変換後の対応する設備情報、あるいは作業者により前記第２の媒体から選択され、前記所定の読取部から読み取られて入力された一の設備の画像に対応する識別情報又は変換後の対応する設備情報を前記サーバへ送信する手段とを備え、
前記サーバは、
前記端末装置から前記一の工事形態に対応する識別情報又はその工事形態情報を受信し、前記設備データベースに登録する手段と、
受信した前記一の工事形態に対応する識別情報又はその工事形態情報で前記工事工程データベース及び前記工事設備データベースを検索し、前記一の工事形態に対応する工程情報及び必要な設備の項目情報を前記端末装置へ送信する手段と、
前記端末装置から前記一の設備に対応する識別情報又はその設備情報を受信し、前記設備データベースに登録する手段とを備える
ことを特徴とする設備情報の登録システム。
【発明の詳細な説明】
【技術分野】
【０００１】
本発明は、物理的な設備、特に屋外に設置された設備に関する情報をデータベースに登録する技術に関する。
【背景技術】
【０００２】
光ファイバを収容するクロージャを電柱に取り付ける工事等、屋外での物理的な設備の設置を伴う工事を実施する場合、保守・運用のため、当該設備に関する情報（設備情報）、例えば名称、種類、製造会社名、シリアルナンバー等を所定のデータベース、例えば前記設備を所有あるいは管理する者（企業等）が同じくその所有あるいは管理する設備データベースに登録する必要がある。この際、従来は、工事の形態（工事形態）によって決まる各設備の設備情報を、工事を実施する作業者が、前記設備データベースに接続されたサーバと通信可能な端末装置のキーボード等から個々に手入力して行っていた。
【０００３】
しかし、この方法では、入力ミスにより設備情報が誤って登録されたり、登録漏れが発生するという問題があった。また、現場の状況により、工事形態が予定と異なったり、工事作業の内容が予定と異なる場合があり、この場合は作業者自身が変更後の工事形態から必要な設備を判断して設備情報を登録したり、変更後の工事作業の内容に関する情報（作業情報）を登録したりしなければならないが、作業者の経験が浅かったり、スキルが低いような時には、変更後の工事形態や変更後の工事作業に基づく登録すべき情報の把握に時間がかかり、作業効率が低下するという問題があった。
【０００４】
そこで、従来、設備に対応するバーコード等の識別情報を当該設備そのものに付与して（取り付けて）おき、前記識別情報をバーコードスキャナ等を介して読み取り、登録する方法が提案されている（第１の従来技術：特許文献１参照）。
【０００５】
また、従来、制御コンピュータとウエアラブルＰＣを無線ＬＡＮでネットワーク化し、制御コンピュータと同じ画面をウエアラブルＰＣに表示させて、作業者が圧力計や温度計の前に居ながらにして制御設定するシステムが提案されている（第２の従来技術：特許文献２参照）。
【０００６】
さらにまた、従来、複数の作業現場の工程管理表を格納したサーバを設けるとともに各作業現場にサーバと通信可能な端末装置を設けて、端末装置から送られてきたデータに基づいて工程管理表を更新することにより、作業工程の進捗状況を管理するシステムが提案されている（第３の従来技術：非特許文献１参照）。
【特許文献１】特開２００３−２２４６５７号公報
【特許文献２】特開２００３−１２２８１３号公報
【非特許文献１】総合環境情報誌  ネイチャーインタフェイス、第１０号、ｐｐ．２４〜２７、「造船現場で利用され始めたウエアラブルＰＣ」、［ｏｎｌｉｎｅ］、２００２年８月、ネイチャーインタフェイス株式会社、［平成１８年２月２１日検索］、インターネット＜ＵＲＬ：http://www.natureinterface.com/j/ni10/P24 27/＞
【発明の開示】
【発明が解決しようとする課題】
【０００７】
しかし、前述した第１の従来技術では、設備情報の入力が容易となり、かつミスもなくなる利点があるが、特に屋外に設置される設備の場合、風雨にさらされるため識別情報を設備に取り付けること自体が困難であったり、また、設置場所が高所等であって設置後に識別情報を読み取ることが困難になることがある等の問題があった。
【０００８】
また、第２の従来技術では、設備の点検や在庫の管理に関して作業者が現場の情報を容易に入力できる利点があるが、市中技術で提供される読み取り装置を利用するものであり、物理的に読み取り不可能な情報を入力することができないという問題があった。
【０００９】
さらにまた、第３の従来技術では、作業の進捗状況や次の工程で必要とされる作業者の人員を把握することはできるが、現場の状況により生じた工事形態や工事作業の内容の変更に伴う工事工程や設備を提示するようなことができないという問題があった。
【００１０】
本発明の目的は、屋外での設備の設置を伴う工事を実施した場合の設備情報の登録を、容易かつ誤りなく可能とすることにある。
【００１１】
また、本発明の目的は、屋外での設備の設置を伴う工事の形態が現場の状況により予定と異なった場合でも、経験が浅い又はスキルが低い作業者による容易かつ誤りのない設備情報の登録を可能とすることにある。
【００１２】
また、本発明の目的は、屋外での設備の設置を伴う工事作業の内容が現場の状況により予定と異なった場合でも、当該変更後の工事作業の内容を、容易かつ誤りなく登録可能とすることにある。
【課題を解決するための手段】
【００１３】
図１は本発明の設備情報の登録方法の概要を示すものである。
【００１４】
即ち、屋外工事における整備情報を登録する際に、
まず、作業者がカタログのような紙やディスプレイ等の媒体上の写真のような視覚的情報（画像）を参考に、現場で実際に施行される工事形態を選択する（１）。
【００１５】
次に、作業者がこの写真等の画像とセットの識別情報（２次元バーコードやＲＦＩＤタグ等）を端末装置の読取部に読み取らせて（２）、そのまま又は工事形態情報に変換してサーバへ送信し、設備データベースに登録する（３）。
【００１６】
サーバでは、受信した情報で工事工程データベース及び工事設備データベースを検索し、工事形態に対応する工事工程及び工事に必要な設備項目を端末装置へ送信する（４）。
【００１７】
作業者は、端末装置の表示部に表示された工事工程に従い、必要な設備情報を端末装置に順次入力する（５）。この際、入力作業は、工事形態と同様に媒体上の写真等の画像を参考に識別情報を読取部で読み取らせて、もしくは実際の設備に取り付けられた識別情報を読取部で読み取らせて、あるいは設備情報をキーボード等の入力部から直接入力して行う。
【００１８】
端末装置は、入力された識別情報又は変換後の設備情報をサーバへ送信し、設備データベースに登録する（６）。
【００１９】
なお、現場の状況により工事作業の内容が予定と異なる場合も、前記同様に媒体上の写真等の画像を参考に識別情報を読取部で読み取らせて、もしくは作業情報をキーボード等から直接入力してサーバへ送信し、設備データベースに登録することができる。
【発明の効果】
【００２０】
・設備の構成情報が分からない者でも正しい設備登録が可能となる。
【００２１】
例えば、電柱に光ファイバを収容するクロージャを取り付ける工事の場合、電柱の種別が５種類あり、クロージャの種類が５種類以上ある。この場合、２５種類以上の工事形態が想定され、それぞれの工事形態に合わせた金具等の設備があり、作業者がこの中から適切な工事形態を判断する必要がある。本発明を用いることで、この中から適切な工事形態に応じたものを作業者が選択する際に、クロージャの情報や電柱の情報といった多くの入力を必要とせず、写真等の画像で容易に選択し登録できる。
【００２２】
・識別情報が取り付けられない又は取り付けられた識別情報を読み取ることが困難な屋外設備の情報を取得できる。
【００２３】
・写真等の画像を使うことで、設備に付随する大量の属性情報の自動投入が可能となる。
【００２４】
例えば、設備が光ファイバの場合、光ファイバのタイプや製造メーカ等の属性情報を、光ファイバ名（ＳＭ型光ファイバ等）と同時に設備データベースに登録することが可能となる。このような属性情報が９種類あればデータベースに登録する作業の回数が１／１０になる。
【００２５】
・現場の状況に応じた設備情報や作業情報の投入が可能となる。
【発明を実施するための最良の形態】
【００２６】
以下、本発明に係る実施の形態を図面を参照して詳細に説明する。
【００２７】
図２は本発明の第１の実施の形態に係る設備情報の登録システムを示すもので、図中、１，２は識別情報提示媒体（第１の媒体，第２の媒体）、３は設備データベース（ＤＢ）、４は工事工程データベース（ＤＢ）、５は工事設備データベース（ＤＢ）、６は端末装置、７はサーバである。
【００２８】
識別情報提示媒体１は、工事形態毎にその画像を視認可能に提示するとともにこれに対応する識別情報を所定の読取部で読み取り可能に提示するもので、図３に示すように、紙等の帳票１１上に、工事形態の写真とこの工事形態に対応する識別情報、ここではＱＲコード（登録商標）との組み合わせからなる形態モデル１２が工事形態（ここでは、(1)工事形態Ａ、(2)工事形態Ｂ）毎に掲載されている。
【００２９】
識別情報提示媒体２は、設備毎にその画像を視認可能に提示するとともにこれに対応する識別情報を所定の読取部で読み取り可能に提示するもので、図４に示すように、紙等の帳票２１上に、設備の写真とこの設備に対応する識別情報、ここではＱＲコード（登録商標）との組み合わせからなる設備モデル２２が設備（ここでは、(1)ＡＯクロージャ、(2)ＡＯＥクロージャ、(3)Ｌ型金具、(4)Ｔ型金具）毎に掲載されている。
【００３０】
なお、識別情報としては、前述したＱＲコード（登録商標）のような２次元バーコードの他、ＲＦＩＤタグ等を用いることができる。
【００３１】
設備ＤＢ３は、屋外での物理的な設備の設置を伴う工事を実施した際に、その工事の形態や設置した設備に関する情報、さらに必要に応じて後述する工事の作業に関する情報を登録するためのものである。工事工程ＤＢ４は、工事の工程情報を工事形態毎に登録している。工事設備ＤＢ５は、必要な設備の項目情報を工事形態毎に登録している。これらのＤＢ３，４，５はサーバ７に接続されている。
【００３２】
端末装置６は、所定の読取部、ここでは前述した識別情報に対応した識別情報読取部６１と、キーボード等の入力部６２と、液晶ディスプレイ等の表示部６３と、図示しない通信網（無線又は有線あるいはその組み合わせ）を介してサーバ７と通信するための通信部６４と、制御部６５とを備え、該制御部６５は所定のプログラムに従って前述した各部を制御するとともに、この際、工事形態情報送信手段６６、工程・設備項目表示手段６７及び設備情報送信手段６８を構成する。
【００３３】
工事形態情報送信手段６６は、作業者により識別情報提示媒体１から選択され、識別情報読取部６１から読み取られて入力された一の工事形態の画像に対応する識別情報又は変換後の工事形態情報を通信部６４を介してサーバ７へ送信する機能を実現する。工程・設備項目表示手段６７は、サーバ７から通信部６４を介して工程情報及び必要な設備の項目情報を受信し、工程情報に従う設備の項目情報を表示部６３に表示する機能を実現する。
【００３４】
設備情報送信手段６８は、作業者により入力部６２から入力された一の設備に対応する設備情報、もしくは作業者により識別情報読取部６１から読み取られて入力された一の設備に付随する識別情報又は変換後の対応する設備情報、あるいは作業者により識別情報提示媒体２から選択され、識別情報読取部６１から読み取られて入力された一の設備の画像に対応する識別情報又は変換後の対応する設備情報を通信部６４を介してサーバ７へ送信する機能を実現する。
【００３５】
サーバ７は、図示しない通信網を介して端末装置６と接続され、所定のプログラムに従って各ＤＢ３，４，５を制御するとともに、この際、工事形態情報登録手段７１、工程・設備項目検索送信手段７２及び設備情報登録手段７３を構成する。
【００３６】
工事形態情報登録手段７１は、端末装置６から一の工事形態に対応する識別情報又はその工事形態情報を受信し、設備ＤＢ３に登録する機能を実現する。工程・設備項目検索送信手段７２は、受信した情報で工事工程ＤＢ４及び工事設備ＤＢ５を検索し、工事形態に対応する工程情報及び必要な設備の項目情報を端末装置６へ送信する機能を実現する。設備情報登録手段７３は、端末装置６から一の設備に対応する識別情報又はその設備情報を受信し、設備ＤＢ３に登録する機能を実現する。
【００３７】
図５は前述した端末装置６及びサーバ７における所定のプログラムに対応する処理内容を含む本発明の第１の実施の形態に係る設備情報の登録方法の処理の流れを示すもので、以下、本発明における動作を説明する。
【００３８】
まず、作業者が識別情報提示媒体１から各工事形態モデル中の写真を参考にして、実施予定の工事形態モデル１２を選択し（ｓ１）、当該実施予定の工事形態モデル１２中の識別情報を端末装置６の識別情報読取部６１に読み取らせて入力する（ｓ２）。
【００３９】
端末装置６では、その制御部６５の工事形態情報送信手段６６により、識別情報読取部６１から入力された実施予定の工事形態に対応する識別情報をそのまま又は対応する工事形態情報に変換した後、通信部６４を介してサーバ７へ送信する（ｓ３）。
【００４０】
サーバ７では、端末装置６から送信された実施予定の工事形態に対応する識別情報又はその工事形態情報を受信し、これを工事形態情報登録手段７１により設備ＤＢ３に登録する（ｓ４）。また、サーバ７では、工程・設備項目検索送信手段７２により、受信した実施予定の工事形態に対応する識別情報又はその工事形態情報で工事工程ＤＢ４及び工事設備ＤＢ５を検索し、前記工事形態に対応する工程情報及び必要な設備の項目情報を端末装置６へ送信する（ｓ５）。
【００４１】
端末装置６では、サーバ７から通信部６４を介して実施予定の工事形態に対応する工程情報及び必要な設備の項目情報を受信し、その制御部６５の工程・設備項目表示手段６７により、当該工程情報に従う設備の項目情報を表示部６３に表示する（ｓ６）。図６に工程情報に従う設備の項目情報を表示した設備登録画面の一例を示す。
【００４２】
次に、作業者が表示された工事工程に従い、登録する設備項目を選択・決定し（ｓ７）、さらに当該設備項目に対応する設備情報の入力方法を選択し（ｓ８）、その入力を行う。
【００４３】
即ち、設備に前記同様の識別情報が取り付けられており、その識別情報を端末装置６の識別情報読取部６１で読み取り可能な場合は、作業者が当該識別情報を端末装置６の識別情報読取部６１に読み取らせて入力する（ｓ９）。また、設備に識別情報が取り付けられない又は取り付けられた識別情報を読み取ることが困難である場合は、作業者が識別情報提示媒体２から各設備モデル中の写真を参考にして、設置する設備モデル２２を選択し（ｓ１０）、当該設置する設備モデル２２中の識別情報を端末装置６の識別情報読取部６１に読み取らせて入力する（ｓ１１）。さらにまた、設備に識別情報が取り付けられない又は取り付けられた識別情報を読み取ることが困難であって、かつ識別情報提示媒体２に該当する設備モデルが掲載されていないような場合は、作業者が入力部６２から設備情報を直接入力する（ｓ１２）。
【００４４】
なお、設備に関する識別情報に含まれる情報、あるいは当該識別情報に対応して予めサーバに記憶され、必要に応じて読み出されて登録される情報としては、名称の他、種類、製造会社名等の属性情報が考えられる。この時、シリアルナンバーのように個々の設備に付随する属性情報についてはその識別情報を、図７に示すように設備を梱包していた箱等に付与しておき、前記同様に識別情報読取部６１に読み取らせて入力するようにしても良い。
【００４５】
作業者が全ての工程に対応する設備情報の入力を前記同様にして実行し終了する（サーバへの送信を命じる）（ｓ１３）と、端末装置６では、その制御部６５の設備情報送信手段６８により、識別情報読取部６１から入力された各設備に対応する識別情報をそのまま又は対応する設備情報に変換した後、あるいは入力部６２から入力された各設備に対応する設備情報を通信部６４を介してサーバ７へ送信する（ｓ１４）。
【００４６】
サーバ７では、端末装置６から送信された各設備に対応する識別情報又はその設備情報を受信し、これを設備情報登録手段７３により設備ＤＢ３に登録する（ｓ１５）。
【００４７】
図８は本発明の第２の実施の形態に係る設備情報の登録システム、ここでは現場の状況により工事の作業内容が予定と異なる場合にその作業内容を登録可能とする例を示すもので、図中、第１の実施の形態と同一構成部分は同一符号をもって表す。即ち、３は設備ＤＢ、６ａは端末装置、７ａはサーバ、８は識別情報提示媒体（第３の媒体）である。
【００４８】
識別情報提示媒体８は、工事の作業毎にその画像を視認可能に提示するとともにこれに対応する識別情報を所定の読取部で読み取り可能に提示するもので、図９に示すように、紙等の帳票８１上に、工事作業の写真とこの工事作業に対応する識別情報、ここではＱＲコード（登録商標）との組み合わせからなる工事作業モデル２８が工事作業（ここでは、(1)ケーブル敷設、(2)クロージャ取り付け、(3)マンホール開口）毎に掲載されている。
【００４９】
端末装置６ａは、所定の読取部、ここでは前述した識別情報に対応した識別情報読取部６１と、キーボード等の入力部６２と、液晶ディスプレイ等の表示部６３と、図示しない通信網（無線又は有線あるいはその組み合わせ）を介してサーバ７ａと通信するための通信部６４と、制御部６５ａとを備え、該制御部６５ａは所定のプログラムに従って前述した各部を制御するとともに、この際、作業情報送信手段６９を構成する。
【００５０】
作業情報送信手段６９は、作業者により入力部６２から入力された一の作業に対応する作業情報、もしくは作業者により識別情報提示媒体８から選択され、識別情報読取部６１から読み取られて入力された一の作業の画像に対応する識別情報又は変換後の対応する作業情報を通信部６４を介してサーバ７ａへ送信する機能を実現する。
【００５１】
また、サーバ７ａは、図示しない通信網を介して端末装置６ａと接続され、所定のプログラムに従ってＤＢ３を制御するとともに、この際、作業情報登録手段７４を構成する。作業情報登録手段７４は、端末装置６ａから一の作業に対応する識別情報又はその作業情報を受信し、設備ＤＢ３に登録する機能を実現する。
【００５２】
図１０は前述した端末装置６ａ及びサーバ７ａにおける所定のプログラムに対応する処理内容を含む本発明の第２の実施の形態に係る設備情報の登録方法の処理の流れを示すもので、以下、本発明における動作を説明する。
【００５３】
作業者が登録する工事作業の内容を選択・決定し（ｓ２１）、さらに当該工事作業に対応する作業情報の入力方法を選択し（ｓ２２）、その入力を行う。
【００５４】
即ち、作業者が識別情報提示媒体８から各工事作業モデル中の写真を参考にして、登録する工事作業モデル８２を選択し（ｓ２３）、当該登録する工事作業モデル８２中の識別情報を端末装置６ａの識別情報読取部６１に読み取らせて入力する（ｓ２４）。また、識別情報提示媒体８に該当する工事作業モデルが掲載されていないような場合は、作業者が入力部６２から作業情報を直接入力する（ｓ２５）。
【００５５】
作業者が全ての作業内容に対応する作業情報の入力を前記同様にして実行し終了する（サーバへの送信を命じる）（ｓ２６）と、端末装置６ａでは、その制御部６５ａの作業情報送信手段６９により、識別情報読取部６１から入力された各工事作業に対応する識別情報をそのまま又は対応する作業情報に変換した後、あるいは入力部６２から入力された各工事作業に対応する作業情報を通信部６４を介してサーバ７ａへ送信する（ｓ２７）。
【００５６】
サーバ７ａでは、端末装置６ａから送信された各工事作業に対応する識別情報又はその作業情報を受信し、これを作業情報登録手段７４により設備ＤＢ３に登録する（ｓ２８）。
【図面の簡単な説明】
【００５７】
【図１】本発明の設備情報の登録方法の概要を示す説明図
【図２】本発明の第１の実施の形態に係る設備情報の登録システムの構成図
【図３】工事形態の画像とこれに対応する識別情報を提示する媒体の説明図
【図４】設備の画像とこれに対応する識別情報を提示する媒体の説明図
【図５】本発明の第１の実施の形態に係る設備情報の登録方法の処理の流れ図
【図６】設備登録画面の一例を示す説明図
【図７】詳細な属性情報を含む識別情報の説明図
【図８】本発明の第２の実施の形態に係る設備情報の登録システムの構成図
【図９】工事作業の画像とこれに対応する識別情報を提示する媒体の説明図
【図１０】本発明の第２の実施の形態に係る設備情報の登録方法の処理の流れ図
【符号の説明】
【００５８】
１，２，８：識別情報提示媒体（第１の媒体、第２の媒体、第３の媒体）、３：設備データベース（ＤＢ）、４：工事工程データベース（ＤＢ）、５：工事設備データベース（ＤＢ）、６，６ａ：端末装置、７，７ａ：サーバ、１１，２１，８１：帳票、１２：工事形態モデル、２２：設備モデル、６１：識別情報読取部、６２：入力部、６３：表示部、６４：通信部、６５，６５ａ：制御部、６６：工事形態情報送信手段、６７：工程・設備項目表示手段、６８：設備情報送信手段、６９：作業情報送信手段、７１：工事形態情報登録手段、７２：工程・設備項目検索送信手段、７３：設備情報登録手段、７４：作業情報登録手段、８２：工事作業モデル。
【図１】
0004831671.tif 000002
【図２】
0004831671.tif 000003
【図３】
0004831671.tif 000004
【図４】
0004831671.tif 000005
【図５】
0004831671.tif 000006
【図６】
0004831671.tif 000007
【図７】
0004831671.tif 000008
【図８】
0004831671.tif 000009
【図９】
0004831671.tif 000010
【図１０】
0004831671.tif 000011